(57)【特許請求の範囲】
【請求項１】
被掃除面に臨む塵取り開口を有する清掃体収容室を吸込み口体主部に設け、この清掃体収容室に前記塵取り開口において互いに向かい合う方向に回転する前後２本の回転清掃体を並べて収容し、これら２本の回転清掃体の回転に伴い被清掃面から掻き上げられて前記２本の回転清掃体間を通過した塵を前記吸込み口体主部に取付けられた継手管に吸込む吸込み口体において、
前記清掃体収容室が、前記２本の回転清掃体を覆っていて前記２本の回転清掃体によって満たされるような大きさに形成されているとともに、
前記吸込み口体主部が、前記清掃体収容室が延びる方向と同方向に延びて前記清掃体収容室の上側に設けられ、かつ、前記継手管への吸込みに伴って前記清掃体収容室に引き起こされる気流よりも高速の気流が流れるように前記清掃体収容室よりも流路断面積を小さくした塵移送室と、前記両室を連通して前記清掃体収容室の上に設けられ前記掻き上げられた塵が通過する連通口と、前記塵移送室の長手方向の端部に設けられて前記清掃体収容室外の空気を前記塵移送室に前記清掃体収容室を流通させることなく導入する空気導入口とを夫々備え、
前記継手管が、前記塵移送室内を長手方向に流動する気流を吸込むように前記空気導入口から離れた位置で前記塵移送室に連通して前記吸込み口体主部に取付けられ、
前記前後２本の回転清掃体がその下端の高さ位置を異ならせて前記清掃体収容室に収容されていることを特徴とする吸込み口体。
【請求項２】
被掃除面に臨む塵取り開口を有する清掃体収容室を吸込み口体主部に設け、この清掃体収容室に前記塵取り開口において互いに向かい合う方向に回転する前後２本の回転清掃体を並べて収容し、これら２本の回転清掃体の回転に伴い被清掃面から掻き上げられて前記２本の回転清掃体間を通過した塵を前記吸込み口体主部に取付けられた継手管に吸込む吸込み口体において、
前記清掃体収容室が、前記２本の回転清掃体を覆っていて前記２本の回転清掃体によって満たされるような大きさに形成されているとともに、
前記吸込み口体主部が、前記清掃体収容室が延びる方向と同方向に延びて前記清掃体収容室の上側に設けられた塵移送室と、前記両室を連通して前記清掃体収容室の上に設けられ前記掻き上げられた塵が通過する連通口と、前記塵移送室の底壁をなして前記塵移送室と前記清掃体収容室との間の一部を仕切って設けられた塵受け棚とを夫々備え、
前記継手管が、前記塵移送室内を長手方向に流動する気流を吸込むように前記塵移送室に連通して前記吸込み口体主部に取付けられ、
前記前後２本の回転清掃体がその下端の高さ位置を異ならせて前記清掃体収容室に収容されていることを特徴とする吸込み口体。
【請求項３】
前記２本の回転清掃体の直径が互いに異なり、これら回転清掃体の清掃体軸を同じ高さ位置に配して前記２本の回転清掃体を前記清掃体収容室に収容したことを特徴とする請求項１又は２に記載の吸込み口体。
【請求項４】
前側の回転清掃体の直径を後側の回転清掃体の直径より大きくしたことを特徴とする請求項３に記載の吸込み口体。
【請求項５】
後側の回転清掃体の直径を前側の回転清掃体の直径より大きくしたことを特徴とする請求項３に記載の吸込み口体。
【請求項６】
前記２本の回転清掃体の直径が同じで、これら回転清掃体を異なる高さ位置に配して前記２本の回転清掃体を前記清掃体収容室に収容したことを特徴とする請求項１又は２に記載の吸込み口体。
【請求項７】
前側の回転清掃体を後側の回転清掃体より低くしたことを特徴とする請求項６に記載の吸込み口体。
【請求項８】
後側の回転清掃体を前側の回転清掃体より低くしたことを特徴とする請求項６に記載の吸込み口体。
【請求項９】
掃除機本体内の電動送風機の動作により、前記掃除機本体の集塵室に連通された吸込み口体の塵取り開口から被掃除面の塵を空気とともに吸込んで、この吸込んだ塵を前記集塵室内のフィルタに通して捕捉する電気掃除機において、前記吸込み口体に請求項１〜８の内のいずれか一項に記載の吸込み口体を用いたことを特徴とする電気掃除機。
【請求項１０】
電動送風機を内蔵した掃除機本体の集塵室に連通された吸込み口体の塵取り開口から被掃除面の塵を取込んで、この取込んだ塵を前記集塵室内のフィルタに通して捕捉し、前記フィルタを通過して前記電動送風機から排出された空気を前記吸込み口体に戻し、この排出空気を前記掃除機本体と前記吸込み口体とにわたって循環させながら掃除をする電気掃除機において、前記吸込み口体に請求項１〜８の内のいずれか一項に記載の吸込み口体を用いたことを特徴とする電気掃除機。
【発明の詳細な説明】
【０００１】
【発明の属する技術分野】
本発明は、掃除機本体内の電動送風機から排出される空気を、吸込み口体に戻すとともに、これら吸込み口体と掃除機本体とにわたって循環させながら掃除をする空気循環式、又は、このような空気循環を伴うことなく、被掃除面に吸込み力を及ぼしながら掃除をする非空気循環式の電気掃除機に関するとともに、これらの掃除機に用いられる吸込み口体に関する。
【０００２】
【従来の技術】
非空気循環式電気掃除機の吸込み口体において、回転方向及び回転数を異にする２本の回転ブラシを床面に平行に配設するとともに、両ブラシを吸込み口体の前後方向に互いにラップさせることにより、床面の塵埃のかき出し及び叩き出しを効果的に行なって塵埃の捕集性を向上でき、かつ、小形化も図れる吸込み口体が提案されている（特開平５−１１１４４９号公報参照）。
【０００３】
この吸込み口体では、２本の回転ブラシの回転に伴いこれらブラシ間を通過するように床面の塵を掻き上げて、この塵を吸込み口体の幅方向中央に設けられていて掃除機本体に接続される連結管に吸込むことができる。しかし、既述のように掻き上げられた塵をいかにして効果的に連結管に吸込ませるかという点については、格別な工夫がなされておらず、単に連結管から及ぼされる吸込み力のみに依存しているに過ぎない。
【０００４】
そのため、連結管が取付けられている吸込み口体の幅方向中央部分で掻き上げられた塵の吸込みは有効に行われるのに比較して、連結管から隔たっている吸込み口体の幅方向の両端部において前記２本の回転ブラシで掻き上げられた塵を連結管に容易に吸込ませることは難しい。
【０００５】
詳しくは、吸込み口体の幅方向の端部から連結管に至る流路は、回転ブラシが収容されたブラシ収容室の上部に形成されている。具体的には、前記流路が回転ブラシの上部周面とこれを上方から覆って設けられている吸込み口体の平板状上壁との間に形成されているから、この流路に直接臨んでいる回転ブラシは大きな流路抵抗となる。そのため、吸込み口体の幅方向の端部において２本のブラシにより掻き上げられた塵が、連結管方向への移動に際して回転ブラシに引っ掛りやすい。しかも、連結管から隔たっている前記端部に波及する吸込み力は弱い。したがって、前記塵の連結管への吸込み性能が低い。
【０００６】
このように吸込み口体の幅方向の端部においては、床面の塵を折角２本の回転ブラシで掻き上げても、その塵は自由落下して回転ブラシの周囲に跳ね飛ばされてしまうので、連結管に吸込まれずらい。したがって、従来の吸込み口体の塵取り性能は低い。
【０００７】
特に、連結管に波及する吸込み力が低下する場合には、前記塵取り性能の低下が顕著になる。又、空気循環式電気掃除機の吸込み口体は、床面（被掃除面）から積極的に空気を吸込むものではなく、吸込み口体の幅方向の端部分に波及する吸込み力は元々期待されていないため、前記公報の技術を空気循環式電気掃除機の吸込み口体に単に適用しても、非空気循環式の吸込み口体と同様の理由により塵取り性能を向上させることはできない。
【０００８】
又、前記公報に記載の吸込み口体が備える２本の回転ブラシは、同一径であるとともに、その中心軸の高さを同じにして取付けられている。そのため、毛足の長い絨毯を掃除する場合には、２本の回転ブラシの絨毯への沈み込み量が２本とも同じであり、それにより抵抗が大きいので、絨毯上を軽く動かすことが難しい。
【０００９】
【発明が解決しようとする課題】
本発明が解決しようとする課題は、２本の回転清掃体を備えるものにあって、塵取り性能を向上できるとともに移動性がよい吸込み口体及び電気掃除機を得ることにある。
【００１０】
【課題を解決するための手段】
請求項１の発明は、被掃除面に臨む塵取り開口を有する清掃体収容室を吸込み口体主部に設け、この清掃体収容室に前記塵取り開口において互いに向かい合う方向に回転する前後２本の回転清掃体を並べて収容し、これら２本の回転清掃体の回転に伴い被清掃面から掻き上げられて前記２本の回転清掃体間を通過した塵を前記吸込み口体主部に取付けられた継手管に吸込む吸込み口体を前提とする。
【００１１】
そして、前記課題を解決するために、請求項１の発明は、前記清掃体収容室が、前記２本の回転清掃体を覆っていて前記２本の回転清掃体によって満たされるような大きさに形成されているとともに、前記吸込み口体主部が、前記清掃体収容室が延びる方向と同方向に延びて前記清掃体収容室の上側に設けられ、かつ、前記継手管への吸込みに伴って前記清掃体収容室に引き起こされる気流よりも高速の気流が流れるように前記清掃体収容室よりも流路断面積を小さくした塵移送室と、前記両室を連通して前記清掃体収容室の上に設けられ前記掻き上げられた塵が通過する連通口と、前記塵移送室の長手方向の端部に設けられて前記清掃体収容室外の空気を前記塵移送室に前記清掃体収容室を流通させることなく導入する空気導入口とを夫々備え、前記継手管が、前記塵移送室内を長手方向に流動する気流を吸込むように前記空気導入口から離れた位置で前記塵移送室に連通して前記吸込み口体主部に取付けられ、前記前後２本の回転清掃体がその下端の高さ位置を異ならせて前記清掃体収容室に収容されていることを特徴としている。
【００１２】
請求項１の発明及び以下の各発明は、空気循環式又は非空気循環式の電気掃除機用の吸込み口体に適用できる。又、請求項１の発明及び以下の各発明において、２本の回転清掃体は互いの回転軌跡が接触又はラップするように配置されていても、或は互いの回転軌跡が接しないように近接して配置されていてもよい。
【００１３】
又、請求項１の発明及び以下の各発明において、回転清掃体は、清掃体軸の周面全体に清掃要素としてのブラシ毛を清掃体軸から放射方向に突出するように植毛してなる回転清掃体を用いることができる他、清掃体軸の周面に、清掃要素としての軟質合成樹脂製又は起毛布製のブレード、或はブラシ毛をブレード状に一連なりに連続させてなるブラシ状ブレードを、清掃体軸から放射方向に突出するように取付けてなる回転清掃体を用いることができ、前記各ブレードは、清掃体軸と平行に延びて取付けられていても、或は清掃体軸に対して螺旋状に巻付くように取付けられていてもよい。又、前記各種類のブレードの内の少なくとも一つを複数列取付けてなる回転清掃体を用いることができ、前後の回転清掃体が備えるブレードは、異種であっても、同種であってもよく、或は少なくとも一方の回転清掃体には異種のブレードを交互に設けた回転清掃体を用いることもできる。
【００１４】
又、請求項１の発明及び以下の各発明において、塵移送室に連通する継手管は吸込み口体の幅方向のどの位置に設けてもよいが、空気導入口を吸込み口体の幅方向の両端部に設ける場合には、吸込み口体の幅方向中央部に設けることが好ましい。
【００１５】
又、請求項１の発明において、前後２本の回転清掃体の下端の高さ位置を異ならせるには、請求項３の発明のように、両回転清掃体の直径を異ならせるとともにそれらの清掃体軸を同一高さに配置することで実施でき、同様に請求項６の発明のように、両回転清掃体を同一直径としてそれらの清掃体軸を異なる高さに配置することで実施できる。
【００１６】
又、請求項１の発明において、塵移送室は、２本の回転清掃体に跨るように設けることが好ましいが、一方の回転清掃体にだけ対向させて設けてもよく、したがって、塵移送室の数は単一であっても複数であってもよい。又、請求項１の発明において、空気導入口は吸込み口体の幅方向の一端部又は両端部に設けることができるとともに、この空気導入口に導入される空気は、吸込み口体主部の外部から吸込まれる空気（外気）であってもよく、或は、空気循環式掃除機用の吸込み口体である場合においては、電動送風機から排出され循環される空気であってもよい。なお、空気導入口から外気を吸込む場合、吸込み口体主部の下方、上方、又は側方等から吸込ませることができる。
【００１７】
請求項１の発明では、清掃体収容室の上側の塵移送室に、この塵移送室の長手方向の端部に位置する空気導入口から導入される空気を、塵移送室に沿わせて継手管に向けて流動させ、この継手管に吸込ませることができる。この場合、塵移送室の流路断面積は清掃体収容室の流路断面積より小さいため、継手管への空気の吸込みに伴って清掃体収容室に引き起こされる気流よりも高速の気流を塵移送室に流すことができる。しかも、塵移送室は清掃体収容室の上側に位置しているから、そこを流れる気流と回転清掃体とは殆ど干渉しない。そのため、２本の回転清掃体により被掃除面から掻き上げられて連通口を通り塵移送室に至った塵を、前記高速気流によって円滑に継手管に移送させ吸込ませることができる。
【００１８】
そして、塵移送室に被掃除面の塵を協動して掻き上げる前後２本の回転清掃体の下端の高さ位置が異なっていることにより、絨毯を掃除する場合に、その内の一方の絨毯への沈み込み量が少なくなり、絨毯上を動かす際における前後２本の回転清掃体に起因する抵抗を小さくできる。
【００１９】
又、請求項２の発明も、被掃除面に臨む塵取り開口を有する清掃体収容室を吸込み口体主部に設け、この清掃体収容室に前記塵取り開口において互いに向かい合う方向に回転する前後２本の回転清掃体を並べて収容し、これら２本の回転清掃体の回転に伴い被清掃面から掻き上げられて前記２本の回転清掃体間を通過した塵を前記吸込み口体主部に取付けられた継手管に吸込む吸込み口体を前提とする。
【００２０】
そして、前記課題を解決するために、請求項２の発明は、前記清掃体収容室が、前記２本の回転清掃体を覆っていて前記２本の回転清掃体によって満たされるような大きさに形成されているとともに、前記吸込み口体主部が、前記清掃体収容室が延びる方向と同方向に延びて前記清掃体収容室の上側に設けられた塵移送室と、前記両室を連通して前記清掃体収容室の上に設けられ前記掻き上げられた塵が通過する連通口と、前記塵移送室の底壁をなして前記塵移送室と前記清掃体収容室との間の一部を仕切って設けられた塵受け棚とを夫々備え、前記継手管が、前記塵移送室内を長手方向に流動する気流を吸込むように前記塵移送室に連通して前記吸込み口体主部に取付けられ、前記前後２本の回転清掃体がその下端の高さ位置を異ならせて前記清掃体収容室に収容されていることを特徴としている。
【００２１】
この請求項２の発明において、塵移送室の流路断面積は、清掃体収容室の流路断面積と同じでも、小さくても、或は大きくてもよい。又、請求項２の発明の塵受け棚は単なる平板状であってもよく、又、塵受け棚は、塵移送室と清掃体収容室との連通口に対して少なくとも継手管がある側に寄せて設けることが好ましい。又、この請求項２の発明において、前後２本の回転清掃体の下端の高さ位置を異ならせるには、請求項３の発明のように、両回転清掃体の直径を異ならせるとともにそれらの清掃体軸を同一高さに配置することで実施でき、同様に請求項６の発明のように、両回転清掃体を同一直径としてそれらの清掃体軸を異なる高さに配置することで実施できる。
【００２２】
請求項２の発明では、清掃体収容室及びこの収容室の上側位置の塵移送室には、継手管の空気の吸込みに伴って、この継手管に向かう空気の流れが形成される。そのため、２本の回転清掃体により被掃除面から掻き上げられて連通口を経て塵移送室に至った塵のうち自由落下するものを、前記継手管への空気流によって、塵受け棚上に移動させてこの棚上にのせて、回転清掃体上に自由落下することを妨げることができる。そして、既述のように塵移送室には継手管に向けて空気が流れているから、この空気流によって塵受け棚上の塵及び塵移送室内を浮遊している塵を、継手管に移送させ吸込ませることができる。この場合、塵移送室は清掃体収容室の上側にあることとあいまって、これら両室間には塵受け棚が位置しているから、塵移送室を流れる空気と回転清掃体とは殆ど干渉しない。そのため、２本の回転清掃体により被掃除面から塵移送室に掻き上げられた塵を、前記気流によって円滑に継手管に移送させ吸込ませることができる。
【００２３】
そして、塵移送室に被掃除面の塵を協動して掻き上げる前後２本の回転清掃体の下端の高さ位置が異なっていることにより、絨毯を掃除する場合に、その内の一方の絨毯への沈み込み量が少なくなり、絨毯上を動かす際における前後２本の回転清掃体に起因する抵抗を小さくできる。
【００２４】
又、請求項４の発明は、直径が互いに異なる前後２本の回転清掃体を、それらの清掃体軸を同じ高さ位置に配して実施する場合において、前側の回転清掃体の直径を後側の回転清掃体の直径より大きくしたことを特徴としている。
【００２５】
この請求項４の発明において、前側の回転清掃体はその直径が大きい分後側の回転清掃体よりも被掃除面との接触は大きく絨毯にはより沈む。しかし、被掃除面に沿って吸込み口体を押し動かす時には、前側の回転清掃体が移動方向に連れ回りするので、移動に対する抵抗が少ない。
【００２６】
又、請求項５の発明は、直径が互いに異なる前後２本の回転清掃体を、それらの清掃体軸を同じ高さ位置に配して実施する場合において、後側の回転清掃体の直径を前側の回転清掃体の直径より大きくしたことを特徴としている。
【００２７】
この請求項５の発明において、後側の回転清掃体はその直径が大きい分前側の回転清掃体よりも被掃除面との接触は大きく絨毯にはより沈む。しかし、被掃除面に沿って吸込み口体を押し動かす時には、後側の回転清掃体は被掃除面に対しては恰も吸込み口体の移動方向とは逆方向の力を与える。そのため、絨毯等被掃除面に対して相対的に前側の回転清掃体よりも速いかき出し作用を及ぼすことができる。
【００２８】
又、請求項７の発明は、直径が同一の前後２本の回転清掃体を、それらの清掃体軸を異なる高さ位置に配して実施する場合において、前側の回転清掃体を後側の回転清掃体より低くしたことを特徴としている。
【００２９】
この請求項７の発明において、前側の回転清掃体はその高さ位置が低い分後側の回転清掃体よりも被掃除面との接触は大きく絨毯にはより沈む。しかし、被掃除面に沿って吸込み口体を押し動かす時には、前側の回転清掃体が移動方向に連れ回りするので、移動に対する抵抗が少ない。
【００３０】
又、請求項８の発明は、直径が同一の前後２本の回転清掃体を、それらの清掃体軸を異なる高さ位置に配して実施する場合において、後側の回転清掃体を前側の回転清掃体より低くしたことを特徴としている。
【００３１】
この請求項８の発明において、後側の回転清掃体はその高さ位置が低い分前側の回転清掃体よりも被掃除面との接触は大きく絨毯にはより沈む。しかし、被掃除面に沿って吸込み口体を押し動かす時には、後側の回転清掃体は被掃除面に対しては恰も吸込み口体の移動方向とは逆方向の力を与える。そのため、絨毯等被掃除面に対して相対的に前側の回転清掃体よりも速いかき出し作用を及ぼすことができる。
【００３２】
請求項９の発明は、掃除機本体内の電動送風機の動作により、前記掃除機本体の集塵室に連通された吸込み口体の塵取り開口から被掃除面の塵を空気とともに吸込んで、この吸込んだ塵を前記集塵室内のフィルタに通して捕捉する電気掃除機において、前記吸込み口体に請求項１〜８の内のいずれか一項に記載の吸込み口体を用いたことを特徴としている。
【００３３】
この請求項９の発明においては、協動する前後２本の回転清掃体により被掃除面から掻き上げられて連通口を通り塵移送室に至った塵と回転清掃体との干渉が殆どなく、前記塵移送室内の塵を、この塵移送室を流れる気流によって円滑に継手管に移送させ吸込ませることができ、それにより、吸込み口体主部の幅方向の端部でも塵が取り易い吸込み口体を備えるから、塵取り性能が向上され、かつ、移動性がよい非空気循環式の電気掃除機を提供できる。
【００３４】
請求項１０の発明は、電動送風機を内蔵した掃除機本体の集塵室に連通された吸込み口体の塵取り開口から被掃除面の塵を取込んで、この取込んだ塵を前記集塵室内のフィルタに通して捕捉し、前記フィルタを通過して前記電動送風機から排出された空気を前記吸込み口体に戻し、この排出空気を前記掃除機本体と前記吸込み口体とにわたって循環させながら掃除をする電気掃除機において、前記吸込み口体に請求項１〜８の内のいずれか一項に記載の吸込み口体を用いたことを特徴としている。
【００３５】
この請求項１０の発明においては、協動する前後２本の回転清掃体により被掃除面から掻き上げられて連通口を通り塵移送室に至った塵と回転清掃体との干渉が殆どなく、前記塵移送室に掻き上げられた塵を、両室間に設けた塵受け棚で受けながら塵移送室を流れる気流によって円滑に継手管に移送させ吸込ませることができ、それにより、吸込み口体主部の幅方向の端部でも塵が取り易い吸込み口体を備えるから、塵取り塵取り性能が向上され、かつ、移動性がよい空気循環式の電気掃除機を提供できる。
【００３６】
【発明の実施の形態】
以下、図１〜図９を参照して本発明の第１実施形態を説明する。
【００３７】
図１は空気循環式電気掃除機Ａの全体を示す斜視図であり、同図中符号１は一対の車輪２（一方のみ図示）及び図示しない旋回輪により被掃除面上を自在に移動できる掃除機本体である。掃除機本体１には、その前部に設けられた吸塵口３に、可撓性の吸塵ホース４と非可撓性の吸塵パイプ５とを有する吸塵用連通管６の一端部つまり吸塵ホース４に設けた接続筒７が取外し可能に嵌合して接続され、連通管６の他端部つまり吸塵パイプ５には後述の吸込み口体８が接続されている。吸塵口３には後述の電動送風機から排出された空気が、吸塵空気と混じることがないように導かれる。
【００３８】
複数の合成樹脂製ケース部材を組合わせて構成された掃除機本体１の前部には、上方を開口した集塵室が形成されているとともに、後部には送風機室が形成されている。集塵室には、その上面開口を通してフィルタとしての集塵袋９が出し入れ可能に収容され、集塵室の上面開口は開閉自在なケース蓋１０によって気密的に閉じられている。両側部に前記車輪２が回転自在に取付けられた送風機室には、電動送風機１１と、コードリール（図示しない）等が収容されている。電動送風機１１から排出された空気（排気）は、集塵室の一側部を迂回して配置された図示しない戻し風路部材を介して吸塵口３に導かれるように構成されている。なお、図１中１３はコードリールに巻き取られる電源コードの先端に接続された差込プラグを示している。
【００３９】
吸塵ホース４は、例えば同軸構造の２重管であって、その蛇腹状内管の内側空間で作られる通気路には後述の吸込み口体８で取込まれた塵が循環する空気とともに通され、前記内管と蛇腹状外管との間に形成された環状の通気路には前記戻り風路部材から導かれた排気が吸塵口３を経て通される。この吸塵ホース４の先端部にはく字状に形成されるとともに上方に突出する把手１５を有した接続筒１６が設けられていて、把手１５には電動送風機１１等に対する各種の運転開始及び運転中止を指示するための手元操作用の制御スイッチ１７が設けられている。
【００４０】
接続筒１６に着脱可能に接続される２本継ぎの吸塵パイプ５は、いずれも合成樹脂製の硬質管からなり、塵埃を吸込むための第１パイプ５ａと排気を吸込み口体８内に戻すための第２パイプ５ｂとを有している。第１パイプ５ａは吸塵ホース４の内管に接続筒１６を介して連通され、同様に第２パイプ５ｂは吸塵ホース４の内外両管間の環状通気路に接続筒１６を介して連通される。
【００４１】
次に、図２〜図９を参照して吸塵パイプ５の先端部に接続される前記吸込み口体８について説明する。吸込み口体８は、掃除機本体１側に連通される接続部としての合成樹脂製の継手管２１と、合成樹脂製の吸込み口体主部２２と、前後２本の回転清掃体２３、２４と、清掃体駆動装置２５とを備えている。
【００４２】
前記吸塵パイプ５の先端部に着脱可能に嵌入して取付けられることにより掃除機本体１の吸塵口３に連通される継手管２１は、図３、図６、図７に示すように吸込み口体主部２２への固定部３１と、この固定部３１に回動可能に連結された可動部３２とを備えている。
【００４３】
固定部３１は、固定基管３３と、この基管３３の軸回りに沿って回動可能な回動管３４とを備えている。この固定部３１は、その軸線を前後方向に沿わせた姿勢で、固定基管３３の前端部を吸込み口体主部２２の後述する主部下ケースと主部上ケースとで上下から挟まれて、吸込み口体主部２２の後部側でかつこの主部２２の幅方向中央部に固定されている。
【００４４】
固定基管３３は、前後両端が夫々開口された内管部３３ａと、後端が開口された外管部３３ｂと、外管部３３ｂの前端を閉じるようにして両管部３３ａ、３３ｂを一体に連結した前壁３３ｃとを有している。内管部３３ａは外管部３３ｂより長い。内管部３３ａの前端部は、前壁３３ｃを前方に貫通して突出され、吸込みの入口をなしている。内管部３３ａは吸込み風路の一部をなし、内外両管部３３ａ、３３ｂ間には戻り風路の一部をなす通路３５が形成されている。前壁３３ｃには１以上の通気口３６（図７参照）が開けられていている。
【００４５】
回動管３４の前部は二重管構造である。この前部を前記内外両管部３３ａ、３３ｂの外周にこれらの周面に沿って回動可能に夫々嵌合して、回動管３４は固定部３１にその後側から取付けられている。回動管３４はその後部に後面から上面にわたって開放する凹み溝３７を有している。回動管３４内には戻り風路の一部をなす通路３８（図７参照）が通路３５に連通して形成されている。
【００４６】
図３及び図７に示すように可動部３２は、塵埃を吸込むために内管部３３ａに連通される第１パイプ４１と、排気を吸込み口体主部２２内に戻すために通路３８に連通される第２パイプ４２とを有している。第１パイプ４１は前記吸塵パイプ５の第１パイプ５ａに着脱自在に嵌合して接続され、第２パイプ４２がその後端に有する接続部４２ａは吸塵パイプ５の第２パイプ５ｂに着脱自在に嵌合して接続される。
【００４７】
この可動部３２の前端部は、凹み溝３７内に収められて回動管３４の後部に連結されている。この連結は、図７に示されるように第２パイプ４２の両側に互いに逆向きに一体に突設した連結筒部４３を、回動管３４の後部に開けた取付け孔３９に回動可能に嵌合させて行われている。この連結によって、連結筒部４３を介して第２パイプ４２と前記通路３８とが連通され、かつ、可動部３２は、取付け孔３９及び連結筒部４３を中心として略９０°の範囲にわたり前記凹み溝３７に沿って可動できるように取付けられる。
【００４８】
なお、図２中４５は清掃体駆動装置２５に電力を供給するための一対の端子ピンのうちの一方を示しており、これらのピン４５は吸塵パイプ５に継手管２１を接続した時に、吸塵パイプ５の先端部に設けた図示しない端子接触片に接続される。それにより、端子ピン４５から清掃体駆動装置２５に至る電気配線４６（図３参照）、及び吸塵パイプ５内の図示しない電気配線を介して、前記制御スイッチ１７による清掃体駆動装置２５に対する通断電がなされる。
【００４９】
図３及び図４に示すように吸込み口体主部２２は、主部上ケース５１と、主部下ケース５２と、これらの間に挟着される主部中ケース５３とを有して形成され、主部上下両ケース５１、５２はねじ止めにより連結されている。主部上ケース５１は、その裏面に複数のリブを有し、これらリブで主部中ケース５３を上方から押さえつけた状態で、主部下ケース５２に被着されている。主部下ケース５２の底壁には、複数の走行用のローラ５４（図８参照）が取付けられている。吸込み口体主部２２内には、循環風吹出し室５６と、清掃体収容室５７と、塵移送室５８とが設けられている。
【００５０】
循環風吹出し室５６は、主部上下ケース５１、５２と主部中ケース５３とにより仕切られる吸込み口体主部２２の内部空間で形成されていて、その前部は塵移送室５８の上側に被さるように設けられている。
【００５１】
清掃体収納室５７には前記２本の回転清掃体２３、２４が互いに平行に並べて収容されている。清掃体収容室５７は、主部下ケース５２の底壁に開口して床等の被掃除面に臨む塵取り開口５７ａを有している。清掃体収容室５７は、そこに収容された２本の回転清掃体２３、２４によって略満たされるような大きさに形成されている。そのため、この収容室５７の内面は、並設された２本の回転清掃体２３、２４の回転軌跡Ｒ１、Ｒ２（図４中一点鎖線参照）との間に比較的大きな隙間を作ることなく接近するように、これら回転清掃体２３、２４を前後及び上側から覆って設けられている。
【００５２】
なお、図３〜図５中５９は主部下ケース５２の前壁を斜めに貫通して設けられた１以上の吸込み孔であって、その後端は清掃体収容室５７に開口されている。この吸込み孔５９は吸込み口体８の前縁を壁際に押付けた際に、この壁際の隅部の塵を吸込むために設けられている。
【００５３】
主部中ケース５３は、主部下ケース５２の前部上面に起立されかつ略長方形状をなして互いに連続するリブ５２ａ〜５２ｄを上方から覆って取付けられ、これらリブ５２ａ〜５２ｄと共に塵移送室５８を区画形成している。清掃体収容室５７の上側にこの収容室５７と略同じ長さを有して設けられた塵移送室５８は、清掃体収容室５７が延びる方向と同方向、つまり、清掃体収容室５７と同様に吸込み口体８の幅方向に延びているとともに、清掃体収容室５７と連通口６１を通して連通されている。吸込み口体８を前後方向に沿って断面した時に現われる塵移送室５８の流路断面積は、同様な清掃体収容室５７の流路断面積よりも小さい。それにより、吸込み口体８の幅方向に沿って塵移送室５８を流れる空気の流速が、同様に吸込み口体８の幅方向に沿って清掃体収容室５７を流れる空気の流速より速くなるように設定されている。
【００５４】
連通口６１も清掃体収容室５７と略同じ長さで吸込み口体８の幅方向に延びて設けられている。連通口６１は、清掃体収容室５７と塵移送室５８との間を一部仕切って塵移送室５８の後部底壁をなして設けられた塵受け棚６２によって、吸込み口体８の前後方向に絞られている。この連通口６１は前記前後一対の回転清掃体２３、２４に跨るようにこれら清掃体２３、２４の真上に対向している。そのため、連通口６１は回転清掃体２３、２４のラップ部分に対向している。連通口６１の上方に対向する主部中ケース５３の対向壁部分は、上側に行くほど連通口６１に被さるように傾斜されたガイド壁５３ａをなしている。したがって、このガイド壁５３ａは上側に行くほど塵受け棚６２に近付けられている。
【００５５】
塵受け棚６２は後側の回転清掃体２４を上方から覆って設けられている。この棚６２は継手管２１の内管部３３ａに近づくにしたがって次第に下がるように傾斜されていて、そのため、本実施形態では逆ハの字状に傾けられている。それにより、内管部３３ａへの塵を含んだ空気の吸込みをより容易にしている。
【００５６】
塵受け棚６２の前側の先端縁６２ａは上向きに立ち上げられている。この先端縁６２ａの上端の高さは塵受け棚６２の根元より高くなっており、それに伴い塵受け棚６２の上面は凹溝状（樋状）をなしている。
【００５７】
主部中ケース５３の前記継手管２１における固定基管３３と対向する部分、本実施形態では主部中ケース５３の長手方向中央部には、上方及び後方に広がる広がり部５３ｂを有している。広がり部５３ｂの後縁は固定基管３３における内管部３３ａの前縁に被せられている。そのため、広がり部５３ｂを介して吸気用の内管部３３ａと塵移送室５８とが連通されているとともに、塵移送室５８及び前記連通口６１を介して吸気用の内管部３３ａと清掃体収容室５７の長手方向中間部とが連通されている。しかも、図３及び図７に示すように継手管２１と清掃体収容室５７との連通箇所に対応する塵受け棚６２の先端縁６２ａ側部分は切り欠かれている。この切欠き６３によって、前記連通口６１は部分的に継手管２１側に寄るように後側に拡大されている。
【００５８】
又、図４、図６、図７に示すように主部下ケース５２には前記リブ５２ｂと対向し、かつ、略平行な上向きのリブ５２ｅが設けられ、これら相対向するリブ５２ｂ、５２ｅ間には前記塵移送室５８の後側に沿って吸込み口体主部２２の幅方向に延びる風路６５が設けられている。風路６５の長手方向中間部は前記通気口３６に連通されているとともに、風路６５の上方は前記循環風吹出し室５６に連通されている。そのため、前記電動送風機１１から排出されて通気口３６から流出した空気は、塵移送室５８の後側を迂回するように吸込み口体主部２２の幅方向に風路６５に沿って流動しながら、循環風吹出し室５６に供給され満たされる。
【００５９】
図４〜図６に示すように主部中ケース５３の長手方向両端部上面には塵移送室５８の長手方向両端部の後部側に連通して通気部６６、６８が開口されている。更に、主部中ケース５３の長手方向両端部上面には、通気部６６、６８の前側に隣接位置して通孔からなる他の通気部６７、６９が形成されている。これら通気部６７、６９は図５で代表して示すように連通口６１の長手方向両端部に対向していて、結果的に清掃体収容室５７の長手方向両端部にその上方から連通して設けられている。
【００６０】
更に、主部中ケース５３の長手方向両端部には、前後方向に対応する一方の通気部６６、６７の境をなして下向きに突出するガイドリブ５２ｆが一体形成されているとともに、前後方向に対応する他方の通気部６８、６９の境をなして下向きに突出するガイドリブ５２ｇが一体形成されている。ガイドリブ５２ｇ、５２ｆの下端は、図４及び図５に示すようにリブ５２ｂとともに塵受け棚６２を樋状とする上向きの先端縁６２ａの長手方向の端部に、接触ないしは近接されている。
【００６１】
吸込み口体主部２２の長手方向一端側には、前記清掃体駆動装置２５が収容されている。この清掃体駆動装置２５は、図６及び図７に示すように電動モータ７１と、前後一対の互いに噛合う図示しない最終歯車と、一方の最終歯車及び電動モータ７１の出力軸とを連結した図示しない伝動機構と、前記最終歯車及び伝動機構への塵埃の付着を防止するために、電動モータ７１の出力軸側をも被って設けられた防塵ケース７２と、前記両最終歯車に個別に連結されるとともに防塵ケース７２の側面に露出するように並べて設けられた前後一対の継手７３、７４（図５参照）とを備えている。一対の最終歯車及びこれらに連結された継手７３、７４は互いに逆方向に回転駆動される。一対の継手７３、７４は清掃体収容室５７内に臨んでいる。最終歯車及び伝動機構は本実施形態の場合歯車列で形成してあるが、これには制約されない。この清掃体駆動装置２５は、前記風路６５から流出されて通気部６８に至る風に晒されて空冷される。
【００６２】
清掃体駆動装置２５が設置された側と反対側に位置する清掃体収容室５７の端部には、図示しない前後一対の軸受サポート部が前記図示しない両継手７３、７４の夫々に個別に対応して設けられている。清掃体収容室５７には前後一対の回転清掃体２３、２４が後述のように取外し可能に収容されている。
【００６３】
図８及び図９に示すように両回転清掃体２３、２４は、いずれも清掃体軸８１の一端部に継手８２を取付けるとともに、他端部に清掃体軸８１を回転自在に支持する軸受８３を取付け、かつ、これら継手８２と軸受８３との間に複数枚の清掃要素としての可撓性ブレード８４を取付けて形成されている。これらの回転清掃体２３、２４はそのブレード８４の先端部が塵取り開口５７ａを通過して被掃除面に接する高さ位置に清掃体収容室５７に取付けられる。最も長いブレード８４の回転軌跡によって回転清掃体２３、２４の直径が規定される。
【００６４】
前側の回転清掃体２３は、その一端部の継手８２を清掃体駆動装置２５が有する前記前側の継手７３に挿脱可能に凹凸嵌合させて接続されるとともに、他端部の軸受８３を主部下ケース５２の前記図示しない前側の軸受サポート部に下側から嵌め付けることによって、清掃体収容室５７の前部に回転可能に取付けられ、この逆の手順によって取外すことができる。同様に、後側の回転清掃体２４も、その一端部の継手８２を清掃体駆動装置２５が有する前記後側の継手７４に挿脱可能に凹凸嵌合させて接続されるとともに、他端部の軸受８３を主部下ケース５２の前記図示しない後側の軸受サポート部に下側から嵌め付けることによって、清掃体収容室５７の後部に回転可能に取付けられ、この逆の手順によって取外すことができる。
【００６５】
なお、主部下ケース５２にはその下側から清掃体収容室５７の軸受サポート部側の端部に対応する部分を閉じる押さえ板８５（図８参照）が着脱可能に取付けられている。この取付けによって、前後の軸受サポート部が下側から塞がれて、これからの継手８２の脱落が防止される。
【００６６】
図４に示されるように前後２本の回転清掃体２３、２４の直径は異なっており、本実施形態では前側の回転清掃体２３に、その直径が後側の回転清掃体２４の直径より大きいものを使用している。これら回転清掃体２３、２４は、その清掃体軸８１を同一高さにして前記継手７３、７４と図示しない軸受サポートとにわたって既述のように取外し可能に設置されている。このような直径の差にしたがって、前側の回転清掃体２３の下端の高さ位置が後側の回転清掃体２４の高さ位置よりも低い状態、言い換えれば、前記塵取り開口５７ａから下方への突出量が前側回転清掃体２３の方が大きくなっている。なお、図４中符号ｈは両回転清掃体２３、２４の下端の高さ位置の差を示している。
【００６７】
前記構成において、吸込み口体８の可動部３２の第２パイプ４２、回動管３４の通路３５、回動管３４の通気口３６、風路６５、循環風吹出し室５６、通気部６６、６８、及び塵移送室５８は、この記載順に互いに連通されていて、掃除機本体１の電動送風機１１から排出される空気を、吸込み口体８内において導く戻り風路を形成している。又、可動部３２の第１パイプ４１及びこれに直接連通した回動基管３３の内管部３３ａは、掃除機本体１の電動送風機１１に吸込まれる空気を吸込み口体８内において導く吸込み風路を形成している。この吸込み風路の入口である内管部３３ａの前端開口は、塵移送室５８及びこの移送室５８と連通口６１を介して清掃体収容室５７に連通されている。
【００６８】
そして、前記構成の吸込み口体８及びこれを備えた空気循環式電気掃除機を用いて掃除をする場合は、掃除機本体１に吸塵ホース４、吸塵パイプ５を図１に示すように順に接続し、吸塵パイプ５の先端部に吸込み口体８の継手管２１を接続し、吸込みホース４の把手１５に設けた制御スイッチ１７のうちのいずれかを閉成操作する。この閉成操作がされることにより掃除機本体１に内蔵の電動送風機１１が運転し、又、吸込み口体８に内蔵の清掃体駆動装置２５の電動モータ７１が運転されるに伴い、清掃体収容室５７内の前後一対の回転清掃体２３、２４、が、内内方向、つまり、塵取り開口５７ａにおいて互いに向かい合う方向（図３及び図４中矢印イ、ロ参照）に夫々同期して回転駆動される。なお、スイッチ操作により回転清掃体２３、２４の回転は任意に停止させることができる。
【００６９】
一方、電動送風機１１の吸込み作用によって、吸込み口体８の塵移送室５８内の空気が吸込まれ、この吸込み空気は、継手管２１における可動部３２の第１パイプ４１及びこれに直接連通した回動基管３３の内管部３３ａ、吸塵パイプ５、吸塵ホース４、及び吸塵口３の夫々の吸込み風路を経て（図１に実線の矢印で示す経路）集塵室内に吸込まれる。塵埃は集塵袋９によって除去され吸込み気流は排気風として電動送風機１１から排出される。この排気風は、図１に点線の矢印で示す経路をなす掃除機本体１の図示しない戻り風路部材、吸塵口３、吸塵ホース４、吸塵パイプ５、及び吸込み口体８に戻される。
【００７０】
そして、吸込み口体８に戻された排気は、可動部３２の第２パイプ４２、回動管３４の通路３５、回動管３４の通気口３６、風路６５、循環風吹出し室５６、通気部６６、６８を通って、塵移送室５８内にこの室５８の長手方向両端部から継手管２１側に向けて吹き出された後、既述の吸込みにより掃除機本体１側に回収される。以上の繰り返しにより電動送風機１１から排出された空気が掃除機本体１と吸込み口体８とにわたって循環される。
【００７１】
この場合、継手管２１の内外両管部間を通って風路６５に導かれながら循環風吹出し室５６内に吹き出された循環風は、主部中ケース５３の通気部６６、６８を通って塵移送室５８にその長手方向両端部から流入するとともに、ガイドリブ５２ｇ、５２ｆによって流れ方向を塵移送室５８にその長手方向に沿うように導かれる。それにより、循環風は、塵移送室５８の後部を長手方向に流動して継手管２１の吸込み部である内管部３３ａに吸込まれる。
【００７２】
又、掃除機本体１と吸込み口体８とにわたって循環する空気の一部は、既述のような風の流れとは別に、通気部６７、６９及びその直下の連通口６１の端部を通って清掃体収容室５７に流入し、この収容室５７を長手方向に流動しながら再び連通口６１を通って塵移送室５８に至り、この室５８を流れている風と合流して、継手管２１に対応する位置でこの継手管２１の内管部３３ａに吸込まれる。
【００７３】
以上のように掃除機本体１の電動送風機１１から排出された空気は、吸塵ホース４及び吸塵パイプ５の戻し用風路から吸込み口体８内での前記戻し風路を流動して、吸込み口体８内の前記吸込み風路に吸込まれた後、吸塵ホース４及び吸塵パイプ５の吸込み用風路を通って掃除機本体１の集塵室から電動送風機１１に吸込まれて循環する。
【００７４】
この主たる空気循環の経路中には清掃体収容室５７は含まれていないから、主たる循環空気が清掃体収容室５７を流通することはない。そのため、吸込み口体８内に導入された戻り空気の殆どは、清掃体収容室５７内の２本の回転清掃体２３、２４の外周面に沿って流通することがなく、清掃体収容室５７より上側の塵移送室５８を流通して継手管２１の内管部３３ａに吸込まれて掃除機本体１側に回収される。
【００７５】
前記主たる空気循環において、塵移送室５８にその長手方向の端部から導入される空気は、電動送風機１１の排気圧により元々流動するエネルギーを有していることに加えて、塵移送室５８の流路断面積が小さくなっていることにより、この塵移送室５８内を高速度で流通する。
【００７６】
一方、前記空気循環と同時に前後一対の回転清掃体２３、２４が回転駆動されて、そのブレード８４によって被掃除面の塵が掻き上げられる。この場合、２本の回転清掃体２３、２４は、塵取り開口５７ａにおいて互いに向かい合う方向に回転駆動されているから、被掃除面の塵は両回転清掃体２３、２４間を通って上方へ勢いよく掻き上げられる。この掻き上げは、回転清掃体２３、２４の全長、言い換えれば、吸込み口体８の幅方向略全長にわたって行われる。
【００７７】
こうして被掃除面から掻き上げられた塵は、その勢いによって、２本の回転清掃体２３、２４の互いに向い合っている上部周面間スペースの真上に対向している連通口６１を、何ら妨げられることなく容易に通過して、この連通口６１上に対向している主部中ケース５３の斜めのガイド壁５３ａにあたって、この塵受け棚６２側に導かれる。しかも、塵移送室５８において塵受け棚６２上を主として流動する高速の風の影響、及び前記内管部３３ａでの空気の吸込みの影響によって、連通口６１を通って塵移送室５８に至った空気は前記高速の風に合流するように流動されている。
【００７８】
そのため、前記掻き上げによって連通口６１を通過した塵は、その真下に自由落下して清掃体収容室５７に戻ることがなく、この塵を連通口６１より後側の塵受け棚６２側に円滑に移動させて、この棚６２上に載せることができる。しかも、塵受け棚６２の先端縁６２ａは立ち上がっているので、塵受け棚６２上に一旦のせられた塵が、先端縁６２ａを越えて脱落することは抑制されるとともに、この立ち上がった先端縁６２ａにより塵受け棚６２を風の通り道となるように樋状にできるので、その上を流れる高速の風の流れを円滑に案内して、より高速の風を塵受け棚６２上に流させることができる。
【００７９】
こうして塵が清掃体収容室５７から供給される塵移送室５８には既述のように循環気流が高速で流動している。そのため、塵受け棚６２上の塵および塵移送室５８内を浮遊している塵を、高速空気流にのせて継手管２１まで移送して、その内管部３３ａに吸込ませることができる。
【００８０】
このように前後２本の回転清掃体２３、２４が掻き上げた塵を、清掃体収容室５７とは別の塵移送室５７を流れる高速の空気によって吸込み側に移送させるから、継手管２１に至る塵の空気移送において２本の回転清掃体２３、２４が風路抵抗となることがない。そのため、空気移送される塵が両回転清掃体２３、２４に引っ掛かることが殆どなく、掻き上げられた塵を円滑かつ確実に継手管２１の内管部３３ａに移送して吸込ませることができる。
【００８１】
したがって、吸込み力が波及しづらい吸込み口体８の幅方向の端部において掻き上げられた塵であっても、これを以上のように空気移送して継手管２１に吸込ませることができるので、塵取り性能を向上できる。
【００８２】
しかも、吸込み力は主として高速の空気を流す塵移送室５７に作用し、この室５７とは絞りとなっている連通口６１を介して連通されている下側の清掃体収容室５７への前記吸込み力の波及は弱い。そのため、被掃除面に臨んだ清掃体収容室５７の塵取り開口５７ａが被掃除面に吸付けられることも防止でき、吸込み口体８を軽く被掃除面上で動かすことができ、操作性がよい。
【００８３】
以上のように前記構成の吸込み口体８及びこれを備えた空気循環式電気掃除機を用いての掃除においては、前後一対の回転清掃体２３、２４が掻き上げた被清掃面の塵を、清掃体収容室５７上に位置した塵移送室５８に移し、電動送風機１１から排出されて実質的に完全循環しながら前記塵移送室５８を高速で流れる循環風を利用して、塵移送室５８内の塵を移送して吸込み風路に吸込ませることができ、しかも、吸込み口体８を被掃除面上に軽く移動させながら、この被掃除面を掃除することができる。
【００８４】
更に、この第１実施形態では、既述のように循環風の一部を、清掃体収容室５７内に導入させた後に、連通口６１を通して塵移送室５８を流れる気流に合流させているので、回転清掃体２３、２４が被掃除面から掻き上げた塵を塵受け棚６２上に円滑に運び易く、塵取り性能をより向上できる点で優れている。
【００８５】
又、既述のように塵移送室５７に被掃除面の塵を協動して掻き上げる前後２本の回転清掃体２３、２４の下端の高さ位置が異なっていることにより、絨毯を掃除する場合に、その内の一方、つまり、下端の高さ位置が高い後側の回転清掃体２４の絨毯への沈み込み量が少なくなる。そのため、特に毛足の長い絨毯上を動かす際における前後２本の回転清掃体２３、２４に起因する抵抗が小さくなり、絨毯に沿って吸込み口体８を容易に移動させることができる。
【００８６】
しかも、後側の回転清掃体２４より直径が大きい前側の回転清掃体２３は、直径が大きい分後側の回転清掃体２４よりも被掃除面に大きく接触して絨毯に対してはより沈む。更に、絨毯に沿って吸込み口体８を押し動かす時には、絨毯への押付け操作力により、前側の回転清掃体２３はより沈み込む傾向がある。それにも拘らず、絨毯に沿って吸込み口体８を押し動かす時には、後側の回転清掃体２４よりも直径が大きい前側の回転清掃体２３は、既述のように矢印イ方向に回転駆動されて吸込み口体８の移動方向に連れ回りするので、前進移動に対する抵抗がより小さくなり、容易に移動させることができる。なお、吸込み口体８を手前に引き動かす場合には、吸込み口体８は持上げられ気味となるので、その際の移動抵抗は小さく、容易に移動させることができる。
【００８７】
図１０は本発明の第２実施形態を示している。この実施形態は基本的には第１実施形態と同じであるため、第１実施形態と同様な構成については第１実施形態と同一符号を付してその説明を省略し、以下第１実施形態とは異なる構成について説明する。
【００８８】
この第２実施形態では、清掃体軸８１を同一高さにして清掃体収容室５７に収容される前後一対の回転清掃体２３、２４の直径の大きさを、第１実施形態とは逆、つまり、前側の回転清掃体２３の直径よりも後側の回転清掃体２４の直径の方を大きくしている。
【００８９】
以上説明した点以外の構成は、図１０に図示されない構成を含めて第１実施形態と同じである。そのため、この第２実施形態においても、第１実施形態と同様の作用により本発明の課題を解決できるが、その説明は重複を避けるためにここでは省略する。しかも、この第２実施形態のように前後一対の回転清掃体２３、２４の大きさを異ならせる構成においては、第１実施形態に比較して以下の点で優れている。
【００９０】
つまり、後側の回転清掃体２４は、その直径が前側の回転清掃体２３より大きい分この回転清掃体２３よりも被掃除面との接触は大きくなり絨毯を掃除する場合にはより沈み易い。しかし、絨毯に沿って吸込み口体８を押し動かす（前進）時には、後側の回転清掃体２４が絨毯に対して恰も吸込み口体８の移動方向とは逆方向の力を与えるため、絨毯に対して相対的に前側の回転清掃体２３よりも速いかき出し作用を及ぼすことができる。したがって、絨毯の塵を塵移送室５８により容易に掻き上げることができるに伴い、塵取り性能をより向上できる。
【００９１】
図１１は本発明の第３実施形態を示している。この実施形態は基本的には第１実施形態と同じであるため、第１実施形態と同様な構成については第１実施形態と同一符号を付してその説明を省略し、以下第１実施形態とは異なる構成について説明する。
【００９２】
この第３実施形態では、前後２本の回転清掃体２３、２４の直径が同一であり、前側の回転清掃体２３の清掃体軸８１の高さを、後側の回転清掃体２４の清掃体軸８１よりも低くして、両回転清掃体２３、２を清掃体収容室５７に収容している。なお、図１１中ｈ１は回転清掃体２３、２４の清掃体軸８１の高さ位置のずれ寸法を示している。それにより、第１実施形態と同様に、前側の回転清掃体２３の下端を後側の回転清掃体２４の下端よりも低くして、塵取り開口５７ａからの前側の回転清掃体２３の突出寸法を、後側の回転清掃体２４の塵取り開口５７ａからの突出寸法より大きくしている。
【００９３】
以上説明した点以外の構成は、図１１に図示されない構成を含めて第１実施形態と同じである。そのため、この第３実施形態においても、第１実施形態と同様の作用により本発明の課題を解決できるが、その説明は重複を避けるためにここでは省略する。
【００９４】
図１２は本発明の第４実施形態を示している。この実施形態は基本的には第１実施形態と同じであるため、第１実施形態と同様な構成については第１実施形態と同一符号を付してその説明を省略し、以下第１実施形態とは異なる構成について説明する。
【００９５】
この第４実施形態では、前後２本の回転清掃体２３、２４の直径が同一であり、後側の回転清掃体２４の清掃体軸８１の高さを、前側の回転清掃体２３の清掃体軸８１よりも低くして、両回転清掃体２３、２を清掃体収容室５７に収容している。なお、図１２中ｈ１は回転清掃体２３、２４の清掃体軸８１の高さ位置のずれ寸法を示している。それにより、後側の回転清掃体２４の下端を前側の回転清掃体２３の下端よりも低くして、塵取り開口５７ａからの後側の回転清掃体２４の突出寸法を、前側の回転清掃体２３の塵取り開口５７ａからの突出寸法より大きくしている。
【００９６】
以上説明した点以外の構成は、図１２に図示されない構成を含めて第１実施形態と同じである。そのため、この４実施形態においても、第１実施形態と同様の作用により本発明の課題を解決できるが、その説明は重複を避けるためにここでは省略する。しかも、この第４実施形態のように前後一対の回転清掃体２３、２４の高さを異ならせる構成においては、第１実施形態に比較して以下の点で優れている。
【００９７】
つまり、後側の回転清掃体２４は、その高さが前側の回転清掃体２３より低い分この回転清掃体２３よりも被掃除面との接触は大きくなり絨毯を掃除する場合にはより沈み易い。しかし、絨毯に沿って吸込み口体８を押し動かす（前進）時には、後側の回転清掃体２４が絨毯に対して恰も吸込み口体８の移動方向とは逆方向の力を与えるため、絨毯に対して相対的に前側の回転清掃体２３よりも速いかき出し作用を及ぼすことができる。したがって、絨毯の塵を塵移送室５８により容易に掻き上げることができるに伴い、塵取り性能をより向上できる。
【００９８】
図１３〜図１５は本発明の第５実施形態を示している。この実施形態は非空気循環式電気掃除機Ｅ及びそれ用の吸込み口体１１１に本発明を適用した例を示している。
【００９９】
図１３中１１２は図示しない車輪により被掃除面上を移動可能な掃除機本体で、その前部に設けられた吸塵口１１３には、図示しない可撓性の吸塵ホースと非可撓性の吸塵パイプとを有する吸塵用連通管の一端部が取外し可能に嵌合して接続され、この連結管の他端部には吸込み口体１１１が取外し可能に嵌合して接続されている。吸塵用連通管には吸込み空気流のみが通されるようになっている。掃除機本体１１２の前部の集塵室には、集塵袋（フィルタ）１１４が出し入れ可能に収容されているとともに、掃除機本体１１２の後部の送風機室には電動送風機１１５等が収容されている。電動送風機１１５から排出された空気は、掃除機本体１１２の後部に設けた排気部１１６を通って外部に放出されるように構成されている。
【０１００】
吸込み口体１１１は、吸込み口体主部１２１、前後一対の回転清掃体１２３及び１２４、継手管１２５、及び清掃体駆動装置１２６等を備えている。
【０１０１】
吸込み口体主部１２１は、主部上ケース１２８と主部下ケース１２９とを連結して形成されている。主部下ケース１２９の前部は清掃体収容室１３１をなしており、この収容室１３１は被掃除面に臨む塵取り開口１３１ａを有している。更に、図１３及び図１５に示すように主部下ケース１２９の天井壁には、上向きのリブからなる互いに略平行な前後一対の仕切り壁１３２、１３３が一体に突設されているとともに、これら両壁１３２、１３３間に連通口１３５を設けている。
【０１０２】
主部上ケース１２９は仕切り壁１３２、１３３の上端間を閉じて設けられており、これら主部上ケース１２９と前後の仕切り壁１３２、１３３とで囲まれる空間によって、清掃体収容室１３１の上側にこの室１３１と連通口１３５を介して連通された塵移送室１３６が形成されている。この塵移送室１３６の風路断面積は清掃体収容室１３１の風路断面積よりも小さい。又、前記天井壁の一部は後側の仕切り壁１３３側に位置されていて塵移送室１３６と清掃体収容室１３１との間を仕切っており、この壁部分は塵受け棚１３９として使用されている。
【０１０３】
塵移送室１３６及び塵受け棚１３９は吸込み口体主部１２１の幅方向略全長延びて設けられている。塵移送室１３６の長手方向の少なくとも一端部例えば両端部に夫々空気導入口１３７（図１４参照）が設けられている。これら導入口１３７は、吸込み口体１１１の外部に直接連通するように例えば主部上ケース１２９の両端部上面に開放されて、外気を吸込み可能としてある。
【０１０４】
前後一対の仕切り壁１３２、１３３の内、例えば後側の仕切り壁１３３には、塵移送室１３６の長手方向に沿って空気導入口１３７から離れた位置、好ましくは塵移送室１３６の長手方向略中央部に位置して吸気開口１３８が設けられている。吸込み口体主部１２１の幅方向中央部には、継手管１２５の前端部が上下のケース１２８、１２９の後部で挟持されて取付けられ、この継手管１２５と前記吸気開口１３８とは連通されている。前記吸塵用連通管の先端部に接続される継手管１２５は、その内部を吸込み空気が主に流通可能に構成されている。
【０１０５】
したがって、電動送風機１１５が運転されるに伴って生じる吸込み力は、吸塵用連通管、継手管１２５及び吸気開口１３８を介して塵移送室１３６に波及し、更に、塵受棚１３９で絞られている連通口１３５を介して塵移送室１３６から清掃体収容室１３１に波及する。
【０１０６】
そのため、空気導入口１３７から塵移送室１３６に吸込まれる外気が塵移送室１３６内を高速度で流通して吸気開口１３８を通って継手管１２５に吸込まれる。同時に、前記外気導入に応じて清掃体収容室１３１に波及する吸込み圧力が減少した状態で、この収容室１３１内の空気が連通口１３５を通って塵移送室１３６内に吸込まれ、そして、この空気は塵移送室１３６内の高速空気流と合流して、吸気開口１３８を通って継手管１２５に吸込まれる。
【０１０７】
図１５に示すように清掃体収容室１３１にこれを略満たすように収容された前後２本の回転清掃体１２３、１２４の一端部は軸受１４１に支承されており、かつ、他端部には互いに噛合う歯車１４２、１４３に個別に支持されている。歯車１４２、１４３は清掃体駆動装置１２６の最終歯車をなすものであって、その回転により前後２本の回転清掃体１２３、１２４を、塵取り開口１３１ａにおいて互いに向かい合うように図１３中矢印イ、ロ方向に回転駆動させる。
【０１０８】
吸込み口体主部１２１に内蔵された清掃体駆動装置１２６は、電動モータ１４５と、巻掛け伝動機構１４６と、前記最終歯車１４２、１４３とを備えている。巻掛け伝動機構１４６は、電動モータ１４５に連結された駆動用歯付きプーリ１４７と、後側の最終歯車１４３に同軸に連結された被動用歯付きプーリ１４８と、これらプーリ１４７及び１４８にわたって巻掛けられたタイミングベルト１４９とにより形成されている。
【０１０９】
したがって、電動モータ１４５の動力によって前後２本の回転清掃体１２３、１２４を内内方向に回転駆動させて、その清掃要素としてのブレード１２３ｂ、１２４ｂにより被掃除面の塵を、回転清掃体１２３、１２４間を通るように掻き上げることができる。
【０１１０】
そして、回転清掃体１２３、１２４は互いの下端の高さを異ならせて清掃体収容室１３１に収容されている。そのために本実施形態では、前側の回転清掃体１２３の直径を後側の回転清掃体１２４の直径よりも大きくするとともに、これら清掃体１２３、１２４を、その清掃体軸１２３ａ、１２４ａが同じ高さに位置されるように清掃体収容室１３１に収容している。しかし、この逆に、前側の回転清掃体１２３の直径を後側の回転清掃体１２４の直径よりも小さくするとともに、これら清掃体１２３、１２４を、その清掃体軸１２３ａ、１２４ａが同じ高さに位置されるように清掃体収容室１３１に収容してもよく、或は、両回転清掃体１２３、１２４を同一直径として、それらの清掃体軸１２３ａ、１２４ａの高さを異ならせて清掃体収容室１３１に収容することによって、回転清掃体１２３、１２４の下端の高さ位置を互いに異ならせてもよい。なお、図１３中符号ｈ歯両回転清掃体１２３、１２４の下端の高さ位置の差を示している。
【０１１１】
この第５実施形態においても、清掃体駆動装置１２６の運転に伴い、回転駆動される前後２本の回転清掃体１２３、１２４により被掃除面から掻き上げられた塵は、清掃体収容室１３１とは別にこの上側に形成された塵移送室１３６に至り、その内の一部は塵受け棚１３９上に自由落下する。そして、こうして塵が清掃体収容室１３１から供給される塵移送室１３６には、被掃除面以外の方向から空気導入口１３７を通して外気が吸込まれて高速で流動しているため、この高速の吸込み空気流にのせて塵受け棚１３９上に乗っている塵及び塵移送室１３６に浮遊している塵を、吸気用継手管１２５まで移送して、この管１２５に吸込ませることができる。
【０１１２】
このように掻き上げられた塵を塵移送室１３６を流れる高速の空気によって吸込み側に移送させるから、こうした塵の空気移送において２本の回転清掃体１２３、１２４が風路抵抗となることがない。そのため、空気移送される塵が両回転清掃体１２３、１２４と干渉して引っ掛かることが殆どなく、掻き上げられた塵を円滑かつ確実に継手管１２５に移送して吸込ませることができる。したがって、吸込み力が波及しづらい吸込み口体１１１の幅方向の端部において掻き上げられた塵であっても、これを以上のように空気移送して吸込ませることができるので、塵取り性能を向上できる。
【０１１３】
しかも、以上のように外気を吸込むに伴って、継手管１２５から絞りとなっている連通口１３５を介して連通されている下側の清掃体収容室１３１に作用するの吸込み力は大きく低下する。そのため、非空気循環式の掃除であるにも拘らず、被掃除面に臨んだ清掃体収容室１３１の塵取り開口１３１ａが被掃除面に強く吸付けられることも防止できる。よって、吸込み口体１１１を軽く被掃除面上で動かすことができ、操作性がよい。
【０１１４】
又、既述のように被掃除面の塵を塵移送室１３６に協動して掻き上げる前後２本の回転清掃体１２３、１２４の下端の高さ位置が互いに異なる構成であるので、前後２本の回転清掃体１２３、１２４に起因する絨毯上での抵抗が小さく、絨毯上での移動性を向上でき、若しくは塵移送室１３６への塵の掻き上げ性能を向上できる。
【０１１５】
なお、この第５実施形態において、塵受け棚１３９の先端を、上向きに立ち上がらせて、この棚１３９の根元よりも高くすることができるとともに、掻き上げられた塵を塵移送室１３６において塵受け棚１３９側に導く斜状のガイドを、前側の仕切り壁１３２を斜めに形成すること等により設けることができる。又、塵受け棚１３９は省略してもよい。
【０１１７】
なお、本発明において、２本の回転清掃体を回転させる手段としては、前記各実施形態に例示したものの他、吸込み気流又は循環される気流の一部又は全部が吹き当てられることにより回転されるタービンを用いて、２本の回転清掃体を回転させることもでき、又、２本の回転清掃体の内の少なくとも一方に、吸込み気流又は循環される気流の一部又は全部を吹き当てることで、これら２本の回転清掃体を回転させることもできる。又、清掃体駆動装置を用いる場合に、その伝動機構には、歯車列、又はタイミングベルトを用いた巻掛け伝動部、或は、これらの組合わせによって形成される伝動機構等を用いることができる。
【０１１８】
【発明の効果】
本発明は、以上説明したような形態で実施され、以下に記載されるような効果を奏する。
【０１１９】
請求項１、３、６の発明によれば、吸込み口体主部の幅方向端部の空気導入口から導入される空気を、清掃体収容室の上側の塵移送室に流し、前後２本の回転清掃体が塵移送室に掻き上げた塵を、塵移送室内の気流により継手管に移送させて吸込ませるので、掻き上げられて移送される塵と回転清掃体との干渉が少ない。したがって、吸込み口体主部の幅方向の端部でも塵が取り易くなり、塵取り性能を向上できるとともに、前後２本の回転清掃体に起因する絨毯上での抵抗が小さく絨毯上でも移動性がよい吸込み口体を提供できる。
【０１２０】
請求項２、３、６の発明によれば、前後２本の回転清掃体によって清掃体収容室の上側の塵移送室に掻き上げられた塵を、両室間の塵受け棚で受けながら、塵移送室を流動する空気によって継手管に移送させて吸込ませるので、掻き上げられて移送される塵と回転清掃体との干渉が少ない。したがって、吸込み口体主部の幅方向の端部でも塵が取り易くなり、塵取り性能を向上できるとともに、前後２本の回転清掃体に起因する絨毯上での抵抗が小さく絨毯上でも移動性がよい吸込み口体を提供できる。
【０１２１】
請求項４、７の発明によれば、被掃除面に沿って吸込み口体を押し動かす時には、後側の回転清掃体よりも直径が大きい前側の回転清掃体が移動方向に連れ回りして移動に対する抵抗が少ないので、より移動性を向上できる。
【０１２２】
請求項５、８の発明によれば、前側の回転清掃体よりも直径が大きい後側の回転清掃体が、絨毯等被掃除面に対して相対的に前側の回転清掃体よりも速い掻き出し作用を及ぼすので、塵取り性能をより向上できる。
【０１２３】
請求項９の発明によれば、協動する前後２本の回転清掃体により被掃除面から掻き上げられて連通口を通り塵移送室に至った塵と回転清掃体との干渉が少なく、前記塵移送室内の塵を、この塵移送室を流れる気流によって円滑に継手管に移送でき、それにより、吸込み口体主部の幅方向の端部でも塵が取り易い吸込み口体を備えるから、塵取り性能が向上され、かつ、移動性がよい非空気循環式の電気掃除機を提供できる。
【０１２４】
請求項１０の発明によれば、協動する２本の回転清掃体により被掃除面から掻き上げられて連通口を通り塵移送室に至った塵と回転清掃体との干渉が少なく、前記塵移送室に掻き上げられた塵を、両室間に設けた塵受け棚で受けながら塵移送室を流れる気流によって円滑に継手管に移送でき、それにより、吸込み口体主部の幅方向の端部でも塵が取り易い吸込み口体を備えるから、塵取り性能が向上され、かつ、移動性がよい空気循環式の電気掃除機を提供できる。
【図面の簡単な説明】
【図１】本発明の第１実施形態に係る空気循環式電気掃除機を示す斜視図。
【図２】図１の電気掃除機が備える吸込み口体を示す斜視図。
【図３】図２の吸込み口体を示す縦断側面図。
【図４】図２の吸込み口体の一部を示す縦断側面図。
【図５】図２の吸込み口体を反転させた状態でその一端部を示す斜視図。
【図６】図２の吸込み口体をその主部上カバーを取外した状態で示す概略平面図。
【図７】図２の吸込み口体をその主部上カバーと主部中カバーとを取外した状態で一部を断面して示す概略平面図。
【図８】図２の吸込み口体を示す下面図。
【図９】図２の吸込み口体が備える回転清掃体を示す平面図。
【図１０】本発明の第２実施形態に係る空気循環式電気掃除機の吸込み口体を示す縦断側面図。
【図１１】本発明の第３実施形態に係る空気循環式電気掃除機の吸込み口体を示す縦断側面図。
【図１２】本発明の第４実施形態に係る空気循環式電気掃除機の吸込み口体を示す縦断側面図。
【図１３】本発明の第５実施形態に係る非空気循環式電気掃除機の吸込み口体を示す概略断面図。
【図１４】図１３の吸込み口体を示す平面図。
【図１５】図１３の吸込み口体をその主部上カバーを取外した状態で一部を切り欠いて示す概略平面図。
【符号の説明】
Ａ…空気循環式電気掃除機
１…掃除機本体
８…吸込み口体
９…集塵袋（フィルタ）
１１…電動送風機
２１…継手管
２２…吸込み口体主部
２３…前側の回転清掃体
２４…後側の回転清掃体
２５…清掃体駆動装置
５１…主部上ケース
５２…主部下ケース
５３、９１…主部中ケース
５３ａ…主部中ケースのガイド壁
５７…清掃体収容室
５７ａ…塵取り開口
５８…塵移送室
６１…連通口
６２…塵受け棚
６２ａ…塵受け棚の先端縁
６５…風路
６６、６８…通気部（空気導入口）
８１…清掃体軸
８４…ブレード（清掃要素）
Ｅ…非空気循環式電気掃除機
１１１…吸込み口体
１１２…掃除機本体
１１４…集塵袋（フィルタ）
１１５…電動送風機
１２１…吸込み口体主部
１２３、１２４…回転清掃体
１２３ａ、１２４ａ…清掃体軸
１２５…継手管
１２６…清掃体駆動装置
１３１…清掃体収容室
１３１ａ…塵取り開口
１３５…連通口
１３６…塵移送室
１３７…空気導入口
１３９…塵受け棚
【図１】
0003813810.tif 000002
【図２】
0003813810.tif 000003
【図３】
0003813810.tif 000004
【図４】
0003813810.tif 000005
【図５】
0003813810.tif 000006
【図６】
0003813810.tif 000007
【図７】
0003813810.tif 000008
【図８】
0003813810.tif 000009
【図９】
0003813810.tif 000010
【図１０】
0003813810.tif 000011
【図１１】
0003813810.tif 000012
【図１２】
0003813810.tif 000013
【図１３】
0003813810.tif 000014
【図１４】
0003813810.tif 000015
【図１５】
0003813810.tif 000016